(57)【要約】【課題】画像処理装置と遠隔地の情報処理装置との間での通信動作に当たって、ユーザに画像処理装置と情報処理装置との存在を意識させることなく、画像処理装置と情報処理装置との協調動作を実現する。【解決手段】入力表示装置１２を具備する画像処理装置２０と、画像処理装置２０との間でネットワーク５０を介して通信可能な情報処理装置３０と、入力表示装置１０での操作入力、画像処理装置２０からの要求または情報処理装置３０からの要求に応じて入力表示装置１０の操作画面を切り替えるＵＩ切り替え装置４０とを備える。【選択図】図１
2008148006.tif 000002
【特許請求の範囲】
【請求項１】
入力表示装置を具備する画像処理装置と、
前記画像処理装置との間で通信可能な情報処理装置と、
前記入力表示装置での操作入力、前記画像処理装置からの要求または前記情報処理装置からの要求に応じて前記入力表示装置の操作画面を切り替える切り替え装置と
を備えることを特徴とする画像処理システム。
【請求項２】
入力表示装置を具備する画像処理装置と情報処理装置との間で通信を行うに当たり、
前記入力表示装置での操作入力、前記画像処理装置からの要求または前記情報処理装置からの要求に応じて前記入力表示装置の操作画面を切り替える処理をコンピュータに実行させる
ことを特徴とする画像処理プログラム。
【発明の詳細な説明】
【技術分野】
【０００１】
本発明は、画像処理システムおよび画像処理プログラムに関する。
【背景技術】
【０００２】
複写機等の画像処理装置と当該画像処理装置に対して離れて設置されたパーソナルコンピュータ等の情報処理装置との間で通信媒体を介して通信可能な画像処理システムにおいて、画像処理装置から遠隔の情報処理装置を操作できるようにするために、画像処理装置に備えられたコントロールパネルを、情報処理装置の操作画面として切り替えて利用できるようにした構成が採られている（例えば、特許文献１参照）。
【０００３】
この画像処理システムでは、画像処理装置側のユーザが、遠隔の情報処理装置を利用するときは、コントロールパネルを情報処理装置用の操作画面に切り替え、当該操作画面にて遠隔の情報処理装置に対する操作を行い、画像処理装置を利用するときは、コントロールパネルを画像処理装置用の操作画面に切り替え、当該操作画面にて画像処理装置に対する操作を行うというように、コントロールパネルが画像処理装置用の操作パネル表示モードと、情報処理装置用の操作パネル表示モードとを持ち、画像処理装置の操作と情報処理装置の操作とが明確に分離されている。
【０００４】
【特許文献１】特許第３１６７９１７号公報
【発明の開示】
【発明が解決しようとする課題】
【０００５】
本発明は、画像処理装置と遠隔地の情報処理装置との間での通信動作に当たって、ユーザに画像処理装置と情報処理装置との存在を意識させることなく、画像処理装置と情報処理装置との協調動作を実現可能な画像処理システムおよび画像処理プログラムを提供することを目的とする。
【課題を解決するための手段】
【０００６】
請求項１記載の画像処理システムは、入力表示装置を具備する画像処理装置と、前記画像処理装置との間で通信可能な情報処理装置と、前記入力表示装置での操作入力、前記画像処理装置からの要求または前記情報処理装置からの要求に応じて前記入力表示装置の操作画面を切り替える切り替え装置とを備えることを特徴とする。
【０００７】
請求項２記載の画像処理プログラムは、入力表示装置を具備する画像処理装置と情報処理装置との間で通信を行うに当たり、前記入力表示装置での操作入力、前記画像処理装置からの要求または前記情報処理装置からの要求に応じて前記入力表示装置の操作画面を切り替える処理をコンピュータに実行させることを特徴とする。
【発明の効果】
【０００８】
請求項１記載の画像処理システムによれば、切り替え装置が入力表示装置での操作入力、画像処理装置からの要求または情報処理装置からの要求に応じて入力表示装置の操作画面を切り替えることで、画像処理装置用の操作画面から情報処理装置を制御する、情報処理装置用の操作画面から画像処理装置を制御する、または一方の操作画面から画像処理装置および情報処理装置の両方を制御するなど、画像処理装置と情報処理装置との多用な協調動作を、ユーザに画像処理装置と情報処理装置との存在を意識させることなく実現できる。
【０００９】
請求項２記載の画像処理プログラムによれば、入力表示装置での操作入力、画像処理装置からの要求または情報処理装置からの要求に応じて入力表示装置の操作画面を切り替える処理をコンピュータに実行させることで、画像処理装置用の操作画面から情報処理装置を制御する、情報処理装置用の操作画面から画像処理装置を制御する、または一方の操作画面から画像処理装置および情報処理装置の両方を制御するなど、画像処理装置と情報処理装置との多用な協調動作を、ユーザに画像処理装置と情報処理装置との存在を意識させることなく実現できる。
【発明を実施するための最良の形態】
【００１０】
以下、本発明の実施の形態について図面を参照して詳細に説明する。
【００１１】
図１は、本発明の一実施形態に係る画像処理システムの構成の概略を示すシステム構成図である。
【００１２】
図１に示すように、本実施形態に係る画像処理システムは、入力表示装置１０を具備する画像処理装置２０と、情報処理装置３０と、ＵＩ（ユーザインターフェース）切り替え装置４０とを備え、これら画像処理装置２０、情報処理装置３０およびＵＩ切り替え装置４０がネットワーク５０を介して相互に通信可能に接続されている。
【００１３】
ネットワーク５０による接続形態としては、ＬＡＮ(Local Area Network)、イントラネット、インターネット、電話回線網、専用通信線を用いる形態や、相互に直結する形態など、種々の接続形態を採ることができる。
【００１４】
入力表示装置１０は、操作画面を表示しつつ当該表示画面から入力操作が可能ないわゆるコントロールパネルと称されるものであり、液晶ディスプレイ等の表示パネル、当該表示パネルの表面に装着された透明なタッチパネルおよび各種の操作ボタン（キー）等によって構成され、ＵＩ切り替え装置４０との間で直接に通信可能な構成となっている。
【００１５】
画像処理装置２０は、デジタル複写機や、コピー機能、プリント機能、ＦＡＸ（ファクシミリ）機能等の各機能を複合的に備えた複合機などであり、ユーザによる入力操作の下に、入力表示装置１０に対してＵＩ切り替え装置４０を経由して画像情報を出力するとともに、ＵＩ切り替え装置４０に対して操作画面（表示画面）の切り替えを要求する。
【００１６】
また、画像処理装置２０は、入力表示装置１０でのユーザによるタッチパネルや操作ボタンの操作に基づくユーザ入力を、入力表示装置１０からＵＩ切り替え装置４０を経由して受けるとともに、ＵＩ切り替え装置４０から入力表示装置１０の表示画面の切り替え通知を受ける。
【００１７】
情報処理装置３０は、パーソナルコンピュータなどであり、画像処理装置２０の場合と同様に、ユーザによる入力操作の下に、入力表示装置１０に対してＵＩ切り替え装置４０を経由して画像情報を出力するとともに、ＵＩ切り替え装置４０に対して操作画面の切り替えを要求する。
【００１８】
また、情報処理装置３０は、入力表示装置１０でのユーザによるタッチパネルや操作ボタンの操作に基づくユーザ入力を、入力表示装置１０からＵＩ切り替え装置４０を経由して受けるとともに、ＵＩ切り替え装置４０から入力表示装置１０の操作画面の切り替え通知を受ける。
【００１９】
ＵＩ切り替え装置４０は、入力表示装置１０でのユーザによる操作入力、画像処理装置２０からの要求または情報処理装置３０からの要求に応じて入力表示装置１０の操作画面を切り替えるとともに、操作画面の切り替えを行った際に、画像処理装置２０および情報処理装置３０に対して操作画面を切り替えた旨を通知する。
【００２０】
［入力情報処理先の判断］
上記構成の画像処理システムにおいて、入力表示装置１０でのユーザ操作による入力情報を処理する処理先が画像処理装置２０であるか、情報処理装置３０であるかを判断する方法としては、次の３つの方法が考えられる。
【００２１】
１．入力表示装置１０からの入力情報を基にＵＩ切り替え装置４０が判断する方法。
２．入力表示装置１０からの入力情報を基に画像処理装置２０および情報処理装置３０の各々が判断する方法。
３．入力表示装置１０からの入力情報を基に画像処理装置２０および情報処理装置３０のどちらかが判断し、判断を行った側の装置が他方の装置に対して処理を指示する方法。
【００２２】
これら３つの判断方法の詳細について以下に説明する。以下に説明する入力情報処理先の判断は、画像処理装置２０、情報処理装置３０またはＵＩ切り替え装置４０を構成するコンピュータによって実行されることになる。その詳細については後述する。
【００２３】
（ＵＩ切り替え装置が判断する場合）
図２は、ＵＩ切り替え装置４０が入力情報の処理先を判断する場合の処理シーケンスの一例を示すフローチャートである。
【００２４】
入力表示装置１０でユーザによる入力操作が行われた際に、ＵＩ切り替え装置４０は、入力表示装置１０から入力情報を取得し（ステップＳ１１）、自身が保持する「知識１」にしたがって、入力情報を処理する処理先が、画像処理装置２０であるか、情報処理装置３０であるか、またはその両者であるかを判断する（ステップＳ１２）。
【００２５】
ここで、ＵＩ切り替え装置４０が保持する「知識１」とは、入力情報源（ユーザ操作キー）と入力情報の処理先である情報通知先（画像処理装置２０／情報処理装置３０）との対応付けのことである。この対応付けとしては、入力情報源と情報通知先とが１対１に一意に対応付けられる場合もあれば、入力情報源に対する情報通知先が各種状態に依存して変化する場合も考えられる。
【００２６】
情報通知先を変化させる要素としては、
・入力表示装置１０の表示モード（画像処理装置２０用の操作パネル表示モードまたは情報処理装置用３０の操作パネル表示モード）
・ジョブなし、コピー、スキャン、プリント、ＦＡＸ、ファイル等のジョブ実行情報
・通常稼働、障害発生状態等のシステム稼働状態
などが挙げられる。
【００２７】
このように、各種状態に応じて情報通知先を変化させる場合は、ＵＩ切り替え装置４０は、画像処理装置２０や情報処理装置３０から各種状態を通知される／取得できる機構を備えることになる。
【００２８】
ＵＩ切り替え装置４０は、入力表示装置１０からの入力情報源を基に、当該入力情報源と対応付けられた情報通知先を入力情報の処理先と判断したら（ＯＫの場合）、その処理先、即ち画像処理装置２０あるいは情報処理装置３０、またはその両者に対して入力表示装置１０から受け取った入力情報を通知する（ステップＳ１３）。
【００２９】
ここで、入力情報源と情報通知先との対応付けの例を示す。
＜例１＞
入力表示装置１０において、ユーザによる入力操作によってタッチパネルやハードキーのボタンＡが押下された場合、当該ボタンＡを入力情報源として、入力表示装置１０の表示モードが画像処理装置２０用の操作パネル表示モードのときは、情報通知先を画像処理装置２０と判断して当該画像処理装置２０へ入力情報を通知し、入力表示装置１０の表示モードが情報処理装置３０用の操作パネル表示モードのときは、情報通知先を情報処理装置３０と判断して当該情報処理装置３０へ入力情報を通知する。
【００３０】
＜例２＞
入力表示装置１０において、ユーザによる入力操作によってタッチパネルやハードキーのボタンＢが押下された場合、当該ボタンＢを入力情報源として、入力表示装置１０の表示モードが画像処理装置２０用の操作パネル表示モードのときは、情報通知先を情報処理装置３０と判断して当該情報処理装置３０へ入力情報を通知し、入力表示装置１０の表示モードが情報処理装置３０用の操作パネル表示モードのときは、情報通知先を画像処理装置２０および情報処理装置３０の両方と判断して両者へ入力情報を通知する。
【００３１】
画像処理装置２０あるいは情報処理装置３０、またはその両者がＵＩ切り替え装置４０から入力情報を受け取った場合、画像処理装置２０および／または情報処理装置３０は、自身が保持する「知識２」にしたがって、ＵＩ切り替え装置４０から受け取った入力情報の処理を実行する。
【００３２】
ここで、画像処理装置２０および情報処理装置３０が保持する「知識２」とは、入力情報源（ユーザ操作キー）と処理内容との対応付けのことである。この対応付けとしては、入力情報源と処理内容とが１対１に一意に対応付けられる場合もあれば、入力情報源に対する処理内容が各種状態に依存して変化する場合も考えられる。
【００３３】
処理内容を変化させる要素としては、情報通知先を変化させる要素と同様に、
・入力表示装置１０の表示モード（画像処理装置２０の操作パネル表示モードまたは情報処理装置３０の操作パネル表示モード）
・ジョブなし、コピー、スキャン、プリント、ＦＡＸ、ファイル等のジョブ実行情報
・通常稼働、障害発生状態等のシステム稼働状態
などが挙げられる。
【００３４】
このように、各種状態に応じて処理内容を変化させる場合は、画像処理装置２０／情報処理装置３０は情報処理装置３０／画像処理装置２０から各種状態を通知される／取得できる機構を備えることになる。
【００３５】
（画像処理装置および情報処理装置の各々が判断する場合）
図３は、画像処理装置２０および情報処理装置３０の各々が入力情報の処理先を判断する場合の処理シーケンスの一例を示すフローチャートである。
【００３６】
入力表示装置１０でユーザによる入力操作が行われた際に、入力表示装置１０は画像処理装置２０および情報処理装置３０の両者に対して入力情報を通知する。このとき、入力情報が通知されるケースとしては、入力表示装置１０から直接通知されるケースと、ＵＩ切り替え装置４０を経由して通知されるケースと、画像処理装置２０および情報処理装置３０の一方を経由してもう一方へ通知されるケースとがある。
【００３７】
入力情報が通知されると、画像処理装置２０および情報処理装置３０は、以下に説明する処理を実行することになるが、その処理の内容は同じであるため、以下では、画像処理装置２０が実行する処理の場合を例に挙げて説明するものとする。
【００３８】
入力表示装置１０でユーザによる入力操作が行われた際に、画像処理装置２０は、入力表示装置１０から直接またはＵＩ切り替え装置４０を経由して入力情報を取得し（ステップＳ２１）、自身が保持する「知識３」にしたがって、入力情報の処理先を判断し（ステップＳ２２）、処理先が自身（画像処理装置２０）であれば、入力情報の処理を実行する（ステップＳ２３）。
【００３９】
ここで、画像処理装置２０（または、情報処理装置３０）が保持する「知識３」とは、入力情報源（ユーザ操作キー）と処理内容（処理の要／不要も含む）との対応付けのことである。この対応付けとしては、入力情報源と処理内容とが１対１に一意に対応付けられる場合もあれば、入力情報源に対する処理内容が各種状態に依存して変化する場合も考えられる。
【００４０】
処理内容を変化させる要素としては、ＵＩ切り替え装置４０が情報処理先を判断する場合と同様に、
・入力表示装置１０の表示モード（画像処理装置２０用の操作パネル表示モードまたは情報処理装置用３０の操作パネル表示モード）
・ジョブなし、コピー、スキャン、プリント、ＦＡＸ、ファイル等のジョブ実行情報
・通常稼働、障害発生状態等のシステム稼働状態
などが挙げられる。
【００４１】
このように、各種状態に応じて情報通知先を変化させる場合は、画像処理装置２０は、情報処理装置３０から各種状態を通知される／取得できる機構を備えることになる。情報処理装置３０が判断処理を実行する場合は、当該情報処理装置３０が画像処理装置２０から各種状態を通知される／取得できる機構を備えることになる。
【００４２】
（画像処理装置および情報処理装置のどちらか一方が判断する場合）
図４は、画像処理装置２０および情報処理装置３０のどちらか一方が入力情報の処理先を判断する場合の処理シーケンスの一例を示すフローチャートである。
【００４３】
入力表示装置１０でユーザによる入力操作が行われた際に、入力表示装置１０は画像処理装置２０および情報処理装置３０のどちらか一方に対して入力情報を通知する。このとき、入力情報が通知されるケースとしては、入力表示装置１０から直接通知されるケースと、ＵＩ切り替え装置４０を経由して通知されるケースとがある。
【００４４】
入力情報が通知されると、画像処理装置２０および情報処理装置３０は、以下に説明する処理を実行することになるが、その処理の内容は同じであるため、以下では、画像処理装置２０が実行する処理の場合を例に挙げて説明するものとする。
【００４５】
入力表示装置１０でユーザによる入力操作が行われた際に、画像処理装置２０は、入力表示装置１０から直接またはＵＩ切り替え装置４０を経由して入力情報を取得し（ステップＳ３１）、自身が保持する「知識４」にしたがって、入力情報を処理する処理先が自身（画像処理装置２０）であるか、もう一方の装置（情報処理装置３０）であるかを判断する（ステップＳ３２）。
【００４６】
ここで、画像処理装置２０（または、情報処理装置３０）が保持する「知識４」とは、次のことである。
・入力情報源（ユーザ操作キー）と情報通知先（情報処理装置３０または画像処理装置２０）との対応付け
・入力情報源（ユーザ操作キー）と情報通知先の処理内容との対応付け
【００４７】
これらの対応付けとしては、入力情報源と情報通知先および処理内容とが１対１に一意に対応付けられる場合もあれば、入力情報源に対する情報通知先および処理内容が各種状態に依存して変化する場合も考えられる。
【００４８】
情報通知先および処理内容を変化させる要素としては、ＵＩ切り替え装置４０が情報通知先を判断する場合と同様に、
・入力表示装置１０の表示モード（画像処理装置２０用の操作パネル表示モードまたは情報処理装置用３０の操作パネル表示モード）
・ジョブなし、コピー、スキャン、プリント、ＦＡＸ、ファイル等のジョブ実行情報
・通常稼働、障害発生状態等のシステム稼働状態
などが挙げられる。
【００４９】
画像処理装置２０は、入力表示装置１０からの入力情報源を基に、入力情報の処理先が自身であると判断したら、自身で入力情報の処理を実行し（ステップＳ３３）、入力情報の処理先が他方の装置（情報処理装置３０）であると判断したら、当該他方の装置へ入力情報を通知する（ステップＳ３４）。
【００５０】
他方の装置（情報処理装置３０）が一方の装置（画像処理装置２０）から入力情報を受け取った場合、他方の装置は、自身が保持する「知識５」にしたがって、一方の装置から受け取った入力情報の処理を実行する。
【００５１】
ここで、他方の装置が保持する「知識５」とは、入力情報源（ユーザ操作キー）と他方の装置の処理内容との対応付けのことである。この対応付けとしては、入力情報源と処理内容とが１対１に一意に対応付けられる場合もあれば、入力情報源に対する処理内容が各種状態に依存して変化する場合も考えられる。
【００５２】
処理内容を変化させる要素としては、ＵＩ切り替え装置４０が情報通知先を判断する場合と同様に、
・入力表示装置１０の表示モード（画像処理装置２０の操作パネル表示モードまたは情報処理装置３０の操作パネル表示モード）
・ジョブなし、コピー、スキャン、プリント、ＦＡＸ、ファイル等のジョブ実行情報
・通常稼働、障害発生状態等のシステム稼働状態
などが挙げられる。
【００５３】
このように、各種状態に応じて処理内容を変化させる場合は、他方の装置（情報処理装置３０／画像処理装置２０）は、一方の装置（画像処理装置２０／情報処理装置３０）から各種状態を通知される／取得できる機構を備えることになる。
【００５４】
以上説明した入力情報の処理先（情報通知先）の判断処理は、先述したように、画像処理装置２０、情報処理装置３０またはＵＩ切り替え装置４０を構成するコンピュータによって実行されることになる。
【００５５】
ここで、ＵＩ切り替え装置４０を構成するコンピュータのハードウェァ構成について説明する。画像処理装置２０および情報処理装置３０を構成するコンピュータのハードウェァ構成についても、ＵＩ切り替え装置４０の場合と同じことが言える。
【００５６】
［コンピュータのハードウェァ構成］
図５は、ＵＩ切り替え装置４０を構成するコンピュータのハードウェァ構成を示すブロック図である。
【００５７】
図５に示すように、ＵＩ切り替え装置４０を構成するコンピュータのハードウェアは、ＣＰＵ(Central Processing Unit:中央演算装置)４１、Ｉ／Ｏ回路４２、ＲＯＭ４３、ＲＡＭ４４およびＨＤＤ（ハードディスクドライブ）装置４５などを有し、これら構成要素がバスライン４６を介して接続された構成となっている。
【００５８】
ＣＰＵ４１は、ＲＯＭ４３に格納された処理プログラムにしたがって、ＵＩ切り替え装置４０が実行する一連の処理、即ち入力情報処理先（入力情報通知先）を判断するための先述した一連の処理の制御を行う。Ｉ／Ｏ回路４２は、周辺機器、具体的には入力表示装置１０、画像処理装置２０および情報処理装置３０との入出力を管理する。
【００５９】
ＲＯＭ４３は、ＣＰＵ４１による制御の下に実行される各種処理の処理プログラム、具体的には入力情報処理先を判断する際にＣＰＵ４１が実行する制御のための処理プログラムを格納する。ＲＡＭ４４は、各種処理の実行時にプログラムやプログラム実行に必要がデータを一次的に記憶する。ＨＤＤ４５は、ＣＰＵ４１による制御の下に処理された各種のデータを記憶する。
【００６０】
このＵＩ切り替え装置４０を構成するコンピュータに、ＣＰＵ４１による制御の下に、入力情報処理先を判断するための一連の処理を実行させる処理プログラムが、本実施形態に係る画像処理プログラムである。画像処理装置２０および情報処理装置３０を構成するコンピュータについても同様のことが言える。
【００６１】
ここで、本実施形態に係る画像処理プログラムについては、ＵＩ切り替え装置４０を構成するコンピュータのＲＯＭ４３にあらかじめインストールしておくことが考えられる。ただし、コンピュータのＲＯＭ４３にあらかじめインストールすることに限定されるものではなく、有線若しくは無線による通信手段により提供（配信）することは勿論、コンピュータ読み取り可能なＣＤ−ＲＯＭ等の記憶媒体に格納して提供することも可能である。
【００６２】
［入力情報の処理］
続いて、入力表示装置１０において、ユーザによる操作によって入力された入力情報を画像処理装置２０、情報処理装置３０またはその両者で処理する場合の処理例について説明する。
【００６３】
（画像処理装置２０および情報処理装置３０の両方が入力情報を処理する場合）
＜例１＞
画像処理装置２０と情報処理装置３０とがパイプライン的な処理を実行している際に、入力表示装置１０上において、ユーザが「ストップ」ボタンを押下すると、この「ストップ」ボタンの押下に基づく入力情報を受けて、画像処理装置２０および情報処理装置３０は各々実行中の処理を中断する。
【００６４】
＜例２＞
画像処理装置２０が低電力／スリープモード、情報処理装置３０が休止／サスペンド状態のときに、入力表示装置１０上において、ユーザが「節電解除」ボタンを押下すると、この「節電解除」ボタンの押下に基づく入力情報を受けて、画像処理装置２０および情報処理装置３０は各々稼働状態に復帰する。
【００６５】
（画像処理装置２０および情報処理装置３０のどちらか一方が入力情報を処理する場合）
入力表示装置１０上において、ユーザが「メニュー」ボタン、「コピー」ボタン、「ＦＡＸ」ボタンを押下すると、これらのボタンの押下に基づく入力情報を受けて、画像処理装置２０は常にそれぞれの機能に対応する操作画面を表示する。
【００６６】
（各種状態に応じて、入力表示装置１０からの入力情報に対する処理が変化する例）
入力表示装置１０上において、ユーザが「機械確認」ボタンを押下すると、画像処理装置２０用の操作パネル表示モード時には画像処理装置２０の機械の状態を表示し、情報処理装置３０用の操作パネル表示モード時には情報処理装置３０の機械の状態を表示する。
【００６７】
以上、本発明について実施形態を用いて説明したが、本発明の技術的範囲は上記実施形態に記載の範囲には限定されるものではなく、発明の要旨を逸脱しない範囲で上記実施形態に多様な変更または改良を加えることができ、そのような変更または改良を加えた形態も本発明の技術的範囲に含まれる。
【図面の簡単な説明】
【００６８】
【図１】本発明の一実施形態に係る画像処理システムの構成の概略を示すシステム構成図である。
【図２】ＵＩ切り替え装置が入力情報の処理先を判断する場合の処理シーケンスの一例を示すフローチャートである。
【図３】画像処理装置および情報処理装置の各々が入力情報の処理先を判断する場合の処理シーケンスの一例を示すフローチャートである。
【図４】画像処理装置および情報処理装置のどちらか一方が入力情報の処理先を判断する場合の処理シーケンスの一例を示すフローチャートである。
【図５】ＵＩ切り替え装置を構成するコンピュータのハードウェァ構成を示すブロック図である。
【符号の説明】
【００６９】
１０…入力表示装置（コントロールパネル）、２０…画像処理装置、３０…情報処理装置、４０…ＵＩ切り替え装置、５０…ネットワーク
【図１】
2008148006.tif 000003
【図２】
2008148006.tif 000004
【図３】
2008148006.tif 000005
【図４】
2008148006.tif 000006
【図５】
2008148006.tif 000007